(57)【特許請求の範囲】
【請求項１】
バーナと、このバーナへのガスの流量を制御するガス供給停止機能付の流量制御部と、前記流量制御部を駆動して該流量制御部によるガスの供給・停止をする駆動部と、前記駆動部を駆動制御する駆動制御部と、前記駆動制御部に操作指示し、前記バーナの点火をする操作部と、操作により前記操作部の指示を無効とし燃焼中のバーナを停止させるチャイルドロックスイッチと、前記チャイルドロックスイッチが操作された時に燃焼中の前記バーナがある場合、前記バーナの流量制御部が遮断されたことを確認してチャイルドロックさせるチャイルドロックディレー手段とを備え、前記チャイルドロックスイッチは操作されると燃焼中のバーナを停止させ、該バーナの流量制御部の遮断が前記チャイルドロックディレー手段により確認された後にチャイルドロック状態とするガス調理器。
【請求項２】
複数のバーナと、この各バーナへのガスの流量を制御するガス供給停止機能付の流量制御部と、前記流量制御部を駆動して該流量制御部によるガスの供給・停止をする駆動部と、前記駆動部を駆動制御する駆動制御部と、前記駆動制御部に操作指示し、前記バーナの点火をする操作部と、操作により前記操作部の指示を無効とするチャイルドロックスイッチと、前記チャイルドロックスイッチが操作された時に使用中の前記バーナがある場合、該バーナの使用がなくなるのを待ち、使用中のバーナがなくなり流量制御部が遮断されたことを確認してチャイルドロックさせるチャイルドロックディレー手段とを備え、前記チャイルドロックスイッチは操作されると、使用中のバーナがある場合には使用中のバーナがなくなるのを待ち、使用中のバーナがなくなり該バーナの流量制御部の遮断が前記チャイルドロックディレー手段により確認された後にチャイルドロック状態とするガス調理器。
【発明の詳細な説明】
【０００１】
【発明の属する技術分野】
本発明はチャイルドロック機能を有するガス調理器に関するものである。
【０００２】
【従来の技術】
従来のこの種のガス調理器は複数のバーナとその燃焼・停止を操作する操作部とを備え、上記操作部はチャイルドロックスイッチが操作されるとその操作が無効とされるようになっている。
【０００３】
【発明が解決しようとする課題】
しかしながら従来の構成のガス調理器は、燃焼中にチャイルドロックスイッチが操作されると燃焼が直ちに停止してしまい、使い勝手が悪いという課題があった。
【０００４】
本発明はこのような課題を解決するもので、使い勝手の向上を目的としたものである。
【０００５】
【課題を解決するための手段】
本発明は上記課題を解決するため、バーナと、このバーナへのガスの流量を制御するガス供給停止機能付の流量制御部と、前記流量制御部を駆動して該流量制御部によるガスの供給・停止をする駆動部と、前記駆動部を駆動制御する駆動制御部と、前記駆動制御部に操作指示し、前記バーナの点火をする操作部と、操作により前記操作部の指示を無効とし燃焼中のバーナを停止させるチャイルドロックスイッチと、前記チャイルドロックスイッチが操作された時に燃焼中の前記バーナがある場合、前記バーナの流量制御部が遮断されたことを確認してチャイルドロックさせるチャイルドロックディレー手段とを備え、前記チャイルドロックスイッチは操作されると燃焼中のバーナを停止させ、該バーナの流量制御部の遮断が前記チャイルドロックディレー手段により確認された後にチャイルドロック状態とする構成としてあり、燃焼中にチャイルドロックスイッチが操作されると流量制御部を閉止位置にしてガスを確実に遮断した後チャイルドロック状態とするため安全性が向上するとともに使い勝手も向上する。
【０００６】
【発明の実施の形態】
本発明のガス調理器は各請求項に記載の構成によって実施できるものである。
【０００７】
すなわち請求項１記載のガス調理器は、バーナと、このバーナへのガスの流量を制御するガス供給停止機能付の流量制御部と、前記流量制御部を駆動して該流量制御部によるガスの供給・停止をする駆動部と、前記駆動部を駆動制御する駆動制御部と、前記駆動制御部に操作指示し、前記バーナの点火をする操作部と、操作により前記操作部の指示を無効とし燃焼中のバーナを停止させるチャイルドロックスイッチと、前記チャイルドロックスイッチが操作された時に燃焼中の前記バーナがある場合、前記バーナの流量制御部が遮断されたことを確認してチャイルドロックさせるチャイルドロックディレー手段とを備え、前記チャイルドロックスイッチは操作されると燃焼中のバーナを停止させ、該バーナの流量制御部の遮断が前記チャイルドロックディレー手段による確認後にチャイルドロック状態とする構成としてあり、燃焼中にチャイルドロックスイッチが操作されると流量制御部を閉止位置にしてガスを確実に遮断した後チャイルドロック状態とするため安全性が向上するとともに使い勝手も向上する。
【０００８】
また請求項２のガス調理器は、複数のバーナと、この各バーナへのガスの流量を制御するガス供給停止機能付の流量制御部と、前記流量制御部を駆動して該流量制御部によるガスの供給・停止をする駆動部と、前記駆動部を駆動制御する駆動制御部と、前記駆動制御部に操作指示し、前記バーナの点火をする操作部と、操作により前記操作部の指示を無効とするチャイルドロックスイッチと、前記チャイルドロックスイッチが操作された時に使用中の前記バーナがある場合、該バーナの使用がなくなるのを待ち、使用中のバーナがなくなり流量制御部が遮断されたことを確認してチャイルドロックさせるチャイルドロックディレー手段とを備え、前記チャイルドロックスイッチは操作されると、使用中のバーナがある場合には使用中のバーナがなくなるのを待ち、使用中のバーナがなくなり該バーナの流量制御部の遮断が前記チャイルドロックディレー手段より確認された後にチャイルドロック状態とする構成としてあり、使用中に誤ってチャイルドロックスイッチを操作しても急に消火することがなく使い勝手が向上する。
【０００９】
【実施例】
以下、添付図面を参照して本発明の一実施例について説明し、本発明の理解に供する。尚、以下に示す実施例は本発明を具体化した一例であって、本発明の技術的範囲を限定するものではない。
【００１０】
図１（ａ）は本発明の実施例にかかるガス調理器の外観を示す斜視図であって、ガス調理器は、鍋底温度センサー２を備えた左こんろ１、右こんろ３、グリル４及び操作部５を備えて構成されている。前記操作部５には、図１（ｂ）に示すように、各燃焼部の操作を個別に行う、左こんろ用点火／消火キー６、右こんろ用の点火／消火キー７、グリル用の点火／消火キー８、左こんろ用火力調節キー９，１０、右こんろ用火力調節キー１１、１２、グリル用の火力調節キー１３、１４と、左こんろ用火力表示発光体１５、右こんろ用火力表示発光体１６、グリル用の火力表示発光体１７、左コンロの調理モードの設定入力を行う各設定キー（調理モード設定手段）３９、４０とそれらの設定を表示する各表示ランプ４２、４３、グリルタイマーを設定するキー４１とその表示ランプ４４が設けられ、また、点火操作禁止用のチャイルドロックスイッチ１９と、操作部近傍には制御のための電池を収納する電池収納部２０が設けられている。
【００１１】
前記左こんろ１は、図２に示すように、鍋底温度センサー（鍋底温度検出手段）２及び熱電対（燃焼温度検出手段）２１、点火プラグ２２が設けられた左こんろバーナー２３を備え、この左こんろバーナー２３には、制御回路２４によって開閉制御されるガス制御ブロック２５からガスが供給される。前記ガス制御ブロック２５はホースエンド２６からガスが入り、共用の元電磁弁２７を通り左こんろバーナ用のガスの開閉及び火力調節を行う左こんろガス制御部２９を介しノズル３２を通して左こんろバーナにガスが供給される。前記ガス制御ブロック２５の各ガス制御部２９、３０、３１は大別して流量制御部３３と前記流量制御部３３を駆動させるステッピングモーター３４（以下モーターという）、前記流量制御部３３の位置を検出する位置検出手段となるエンコーダー３５から構成している。
【００１２】
上記の構成でチャイルドロックスイッチ１９がＯＦＦであることを確認し、点火／消火キー６をＯＮ操作すると、制御回路に電源が入り制御回路２４を起動させ、制御回路２４の制御によって、左こんろガス制御部２９を点火流量位置に移動させ、前記元電磁弁２７を開成させ、前記点火プラグ２２により左こんろバーナー２３を点火させる。
【００１３】
この制御回路２４には前記鍋底温度センサー２の検出温度、熱電対２１の検出温度が入力され、これらの入力データ及び前記操作パネル５からの設定入力に基づいて前記左こんろガス制御部２９を駆動制御して、左こんろバーナー２３に供給されるガス流量を調節して自動制御による火力調整を行うことができる。
【００１４】
また、前記右こんろ３は、図２に示すように、その燃焼部に熱電対２１及び点火プラグ２２が設けられた右こんろバーナー３６を備え、この右こんろバーナー３６には、制御回路２４によって開閉制御されるガス制御ブロック２５からガスが供給される。前記ガス制御ブロック２５はホースエンド２６からガスが入り、共用の元電磁弁２７を通り、右バーナ用のガスの開閉及び火力調節を行う右こんろガス制御部３０を介しノズル３２を通して右こんろバーナー３６にガスが供給される。
【００１５】
上記の構成でチャイルドロックスイッチ１９がＯＦＦであることを確認し、点火／消火キー７をＯＮ操作すると、制御回路２４に電源が入り制御回路２４の制御によって、右こんろガス制御部３０を点火流量位置に移動させ、前記元電磁弁２７を開成させ、前記点火プラグ２２により右こんろバーナー３６を点火させる。
【００１６】
この制御回路２４には熱電対２１の検出温度が入力され、この入力データ及び前記操作パネル５からの火力設定入力に基づいて前記右こんろ流量制御部３０を駆動制御することにより右こんろバーナー３６に供給されるガス流量を調節し、入力される加熱温度に基づいて右こんろバーナー３６の燃焼状態を監視する。
【００１７】
また、前記グリル４は、図２に示すように、その燃焼部に熱電対２１及び点火プラグ３８が設けられたグリルバーナー３７を備え、このグリルバーナー３７には、制御回路２４によって開閉制御されるガス制御ブロック２５からガスが供給される。前記ガス制御ブロック２５はホースエンド２６からガスが入り、共用の元電磁弁２７、ガバナ２８を通りグリルバーナ３７のガスの開閉及び火力調節を行うグリルガス制御部３１を介しノズル３２を通してグリルバーナ３７にガスが供給される。
【００１８】
上記の構成でチャイルドロックスイッチ１９がＯＦＦであることを確認し、点火ボタン８をＯＮ操作すると、制御回路２４に電源が入り制御回路２４の制御によって、グリルガス制御部３１を点火流量位置に移動させ、前記元電磁弁２７を開成させ、前記点火プラグ３８によりグリルバーナー３７を点火させる。
【００１９】
この制御回路２４には熱電対２１の検出温度が入力され、この入力データ及び前記操作パネル５からの火力設定入力に基づいて前記グリル流量制御部３１を駆動制御することによりグリルバーナー３７に供給されるガス流量を調節し、入力される加熱温度に基づいてグリルバーナー３７の燃焼状態を監視する。
【００２０】
上記構成からわかるように、左こんろ１、右こんろ３、グリル４からなる各燃焼部の燃焼状態は前記制御回路２４によって制御される。
【００２１】
図３（ａ）（ｂ）は本発明のガス調理器のガス制御ブロック２５を示す図で、ガスはホースエンド２６から、元電磁弁２７を通り、個々のバーナのガス制御部２９、３０、３１に行く。前記個々のバーナのガス制御部に入ったガスは、流量制御部３３のコックボデー３３−１から入って流量制御板３３−２，スライド閉子３３−３を介してコックボデー３３−１のガス出口３３−４に到達し、ノズルに通じるガス管４２に行く。
【００２２】
また前記流量制御板３３−２はスライド閉子３３−３と共にバネ３３−５にてコックボデー３３−１に挿圧され、ガスのシール圧力としている。また、前記スライド閉子３３−３にはスライド駆動用の駆動連結軸３３−６の一端が嵌合され、他の一端はステッピングモーター３４の駆動連結部３４−１に接続されている。また、前記駆動連結軸３３−６にはピン３４−２を有し、ピン３４−２にて、コックボデー３３−１に固定されたエンコーダー３５（位置検出手段）の可動部に継合させ、駆動連結軸３３−６の移動状態を前記エンコーダー３５に伝え、位置検出させる構成としている。また、前記駆動連結軸３３−６にはＯリング３３−７をコックボデー３３−１との間に使用しガスシールを行っている。前記エンコーダー３５はリード線３５−１、元電磁弁２７はリード線２７−１、モーター３４はリード線３４−２を介して制御回路２４に接続されている。
【００２３】
前記モーター３４には、シャフト部にネジ部４９を有しネジ部４９に嵌合する雌ネジ５０を設け、前記雌ネジ５０の先端部に駆動連結軸３３−６を固定して駆動連結部３４−１を構成している。従って、ステッピングモーター３４に駆動パルスを１パルス送出するとステッピングモーター３４は１極分回転し、ネジ部４９もその分回転し、雌ネジ５０がその分移動することとなる。参考的に１例を示すと、モーターの極数を２４極、ネジのリード２ｍｍとすると、１パルスで２／２４＝０．０８mm移動する。
【００２４】
従って、ステッピングモーター３４を回転させると駆動連結部３４−１で直線移動が行われ、駆動連結軸３３−６が移動し、駆動連結軸３３−６の先端に嵌合されたスライド閉子３３−３が移動する。一方流量制御板３３−２は固定されているため、スライド閉子３３−３の中央に設けたガス通過用の調節部となる貫通穴が、順次ガス流量制御板３３−２のガス流量調節部となる穴位置と合わさることとなりガスの流量変化を行う。上記構成としていることから、ステッピングモーター３４のトルクはスライド閉子３３−３を付勢するバネ３３−５と駆動連結軸３３−６のガスシール用Ｏリング３３−７の荷重とエンコーダー３５を駆動させるスラスト荷重とになるが、バネ３３−５の荷重はスライド閉子３３−３に直角方向でスライド方向には常に一定荷重となり、荷重自体も少ない。また流量制御方式は流量制御板３３−２とスライド閉子３３−３の貫通穴の重なり状態で決定されることから、各火力切替段における流量精度はニードル方式に比較して精度も格段に向上する。
【００２５】
また、ガスの流量調節が必要なときのみ、モーターを駆動させる方式のため、通常は、モーターが作動せず、省電力化が出来、電池電源と相性がよい。
【００２６】
但し、ニードル方式であっても以降に説明する各内容は実施可能であり、スライド閉子のみにしか適用できないというものではない。
【００２７】
図４（ａ）〜（ｃ）は、エンコーダー３５の外観図を示したものである。先の図３（ａ）（ｂ）で説明した通り駆動連結軸３３−６に垂直方向にピン３４−２を設け、このピン３４−２の移動量をエンコーダー３５で検出する構成としている。前記のエンコーダー３５は大分してパターンを印刷した基板３５−１と外郭を構成する外郭体３５−２と基板を摺動させる摺動体３５−３と基板から信号を取り出すリード線３５−４から構成され、前記摺動体３５−３には、パターンに合致した集電子３５−５が設けられている。
【００２８】
図５（ａ）〜（ｆ）は、エンコーダー３５のパターンと火力の相関とパルス数を示す図であり、閉位置、弱火位置、中弱位置、中火位置、中強位置、強位置の５段階火力切替位置があり、火力位置をエンコーダー３５とステッピングパルスの双方で検出しようとする構成のものである。
【００２９】
Ａ点はトラック１がＯＮ（トラック４（＋ＣＯＭ）とトラック１とが、集電子によって導通状態にある）、トラック２と３がＯＦＦである。尚トラック４（＋ＣＯＭ）は共用の電源供給パターンである。この状態は、ガスを遮断した閉止状態を示している（スライド閉子３３−３の貫通穴３３ａは流量制御板３３−２の穴３３ｂに係っていないのでガスは流れない）。
【００３０】
安全的に考えてこの状態は、トラック１のみがＯＮ状態で、リード線の、断線、短絡、何れの場合でも検知する事を可能としており、（トラック１がＯＮの時には他がＯＮしてはならない。トラック１が断線したら閉止位置が無くなり、元電磁弁を遮断させる等により）フェールセーフの配慮を行っている。また、この位置はステッピングモーター３４の移動パルスは０の状態とし、パルスカウンタ（後述）も０にリセットする。
【００３１】
Ｂゾーンは、トラック１、２、３、共にＯＦＦ状態であり、ガスの遮断状態から開弁状態への移行段階を表している。移行段階においては、各トラック共にＯＦＦ状態で、パルスカウンタが所定のパルス数となっても、例えば駆動部が固着してステッピングモーター３４が回転しない場合などで所定位置に達していない異常状態であることが認識できる構成とし安全性に配慮している。
【００３２】
Ｃ点は、トラック１、２、ＯＦＦ、トラック３、ＯＮで弱位置の状態である。流量制御板３３−２の最小穴位置１個からガスは流入しガス管４２を介して、ノズル３２に供給される（弱火力状態は同図（ｄ）に示すようにスライド閉子３３−３の孔が流量制御板３３−２の小孔１個に係り最小流量が流れる）。
【００３３】
また、Ａ点を起点としてステッピングモーター３４の駆動パルスは、移動距離３．５８／パルス当たりの移動量０．０８mm＝パルス数４５である。特に最小位置に関してはこの位置より閉止側に移動すると一旦閉止状態となりガスの供給が遮断され、再度開方向に移動させると生ガスがでる構成に必然的になっているため、最小位置検出は、パルスのカウンタ数とエンコーダー３５の双方で確認し、安全性を確保する構成としてある。
【００３４】
Ｄ点はトラック１、ＯＦＦ、トラック２，３、ＯＮで、中弱火位置を示している。中弱火位置では流量制御板３３−２の２個の穴位置からガスは流入しガス管４２を介して、ノズル３２に供給される。また、Ａ点を起点としてステッピングモーター３４の駆動パルスは、移動距離５．２／パルス当たりの移動量０．０８mm＝パルス数６５である。
【００３５】
安全性に関しては、最小火力位置と最大火力位置の中間にあり、２重確認の必要度は緩和されるが、位置の検出に関してはエンコーダー３５とパルスカウンタの双方で行っていることから、例えばノイズの影響によるパルスカウンタの誤作動時等に対しても確実に位置が検出できる特徴を有しその分使いやすさの向上を図っている。
【００３６】
Ｅ点はトラック１、ＯＦＦ、トラック２、ＯＮ、トラック３がＯＮからＯＦＦに切り替わった時点で、中火位置を示している。中火位置では同図（ｆ）に示すように流量制御板３３−２の３個の穴位置からガスは流入しガス管４２を介して、ノズル３２に供給される。また、Ａ点を起点としてステッピングモーター３４の駆動パルスは、移動距離６．７／パルス当たりの移動量０．０８mm＝パルス数８４である。
【００３７】
従って位置は、Ｄ点と同様にパルスのカウンタ数とエンコーダー３５の双方で確認することが可能である。
【００３８】
Ｆ点はトラック１、３、ＯＦＦ、トラック２ＯＮで、中強火位置を示している。中強火位置では流量制御板３３−２の４個の穴位置からガスは流入しガス管４２を介して、ノズル３２に供給される。また、Ａ点を起点としてステッピングモーター３４の駆動パルスは、移動距離８．２／パルス当たりの移動量０．０８mm＝パルス数１０２である。
【００３９】
この場合エンコーダー３５のパターン位置は決定されずパルス管理のみで管理されている。
【００４０】
Ｆ点の位置はエンコーダー３５のパターンとは一致せず、パルスカウンタの数値で位置決定している。理由は、エンコーダー３５のパターンの節約で、コストを低減させる目的であるが、一実施例の説明として全ての位置をエンコーダー３５で行うことは容易に出来ることから、このＦ点は、エンコーダー３５では一致していない例を挙げた。特に安全性に関しては、最小位置と最大位置の中間位置にあり燃焼状態は確保された範囲の火力調節で、多少のパルスカウンタ変動は、安全性に無害である。また、位置検出の精度に関しては前後位置からのパルス数も少なく、誤差も集積されないソフト処理が可能であることから実施可能と成ったものである。
【００４１】
Ｇ点はトラック１はＯＦＦ、トラック２，３はＯＮで、強火位置を示している。強火位置では同図（ｅ）に示すように流量制御板３３−２の最大穴からガスは流入しガス管４２を介して、ノズル３２に供給される。また、Ａ点を起点としてステッピングモーター３４の駆動パルスは、移動距離１１．４／パルス当たりの移動量０．０８mm＝パルス数１４３である。
【００４２】
最大火力位置の位置検出は、エンコーダー３５とパルスカウンタの２重で検出する構成としている。最大位置を越え移動させることは、ガス流量制御機構に通常使用以外の無理な荷重を付加する結果となり、機構の信頼性の低下に成ることを防ぐ目的からも必要である。
【００４３】
次に制御回路の構成を示す。図６において、制御回路２４は、電池電源５１から、定電圧制御手段５２を介して、制御回路２４に定電圧を供給し、電池電源５１から直接モーター用ＩＣ５３、５４、５５を介してステッピングーター３４に電力供給を行い、元電磁弁出力５６を介して電磁弁２７にも電力供給を行っている。また電池５１の電圧を検出するため電圧検出手段５７を有し測定電圧を駆動制御部５８に入力している。
【００４４】
駆動制御部５８は、操作と表示ブロック６５の左右こんろ部６６、６７とグリル部６８の入力キー＆表示６９、７０、７１、及びチャイルドロックスイッチ１９のキー入力を判定するキー入力判定手段７２、前記各種表示の出力段７３、前記キー入力指示があった場合、電池電源ゆえに電源供給能力面からモーターの駆動を１個のみとし、同時に駆動させる場合における優先順位を司る総合作動手段６４を有する。そしてさらに前記キー入力判定手段７２の指示により総合作動手段６４を介して作動する左こんろ１の左こんろ駆動判定部５９と、右こんろ３の右こんろ駆動判定部６０と、グリル４のグリル駆動判定部６１が有り、更に各駆動判定部の指示で作動し、電源電圧を判定する電圧判定手段８１に基づいて、左こんろ用モーター用ＩＣ５３、右こんろ用モーターＩＣ５４、グリル用モーターＩＣ５５への電力供給状態を可変させ省電力化を行う省電力化判定手段７５、及び各駆動判定部の指示でガス制御部２９、３０、３１の火力調節位置と火力設定条件により左こんろ用モーター用ＩＣ５３、右こんろ用モーターＩＣ５４、グリル用モーターＩＣ５５への速度可変出力を司るモーター速度制御手段７６がある。
【００４５】
上記以外に前記キー入力の特定入力（同一キーを連続押し等）でデモモード（器具の説明を行なう）を行うデモモード判定手段７８、流量制御ブロックの部品状態と完成品での検査状態であるかを判定する検査モード判定手段７７、及び検査モード入出力端子６２、左右こんろとグリルの使用火力の状態に応じて換気の状態を可変させる為の換気連動判定手段８０、及びその換気連動端子６３、制御回路２４と各ガス制御部２９、３０、３１、及び電磁弁出力回路５６の各種の故障状態を判定し機器を個別もしくは全体を停止させるかを判定する故障判定手段７９、及び表示部にその故障状態を表示させサービス対応力を向上させる目的の故障表示判定手段７４等から構成されている。
【００４６】
更に左こんろ１の左こんろ駆動判定部５９は、温度センサー２から入力される温度データを温度判定する温度判定部８２を介し、操作パネル５から入力される調理モード指定の設定入力と合わせ、調理モードを判定する調理モード判定部８３を有し、調理モードに応じた焦げ付き防止判定部８４、過熱防止判定部８５、温度調節判定部８６、湯沸かし判定部８７を有している。
【００４７】
また、左、右こんろ２、３及びグリル４の駆動判定部５９、６０、６１は、熱電対２５から入力される温度検出データにより燃焼監視を行うと共にタイマーによる点火からの時間経過の計時データに基づいて立ち消えや消し忘れ等の緊急事態に際しては左、右こんろまたはグリルのガス制御部２９、３０、３１を閉じる制御を行う。
【００４８】
上記構成になる制御回路２４によるガス調理器の制御方法について、以下に示すフローチャートを参照して説明する。尚、各フローチャートに示すＳ１、Ｓ２…は、処理手順を示すステップ番号であって、本文に添記する番号と一致する。
【００４９】
まず、図７は点火、消火動作のキー入力状態を示すもので、キー入力判定手段７２は、操作部５のチャイルドロック１９がＯＦＦの場合Ｓ１、各種の操作キーを受け付ける状態で、点火キーが０．３秒以上押された場合Ｓ２、キー入力有りと判断し、左こんろＳ３か、右こんろかＳ４、グリルかＳ５を確認し、該当こんろを記憶させた後Ｓ６、該当こんろが使用中か否か判断させるＳ７。該当こんろが使用中の場合消火動作であることと優先度１であることを総合作動手段６４に指示しＳ８、該当使用こんろの記憶を消しＳ９、同一キーが所定時間以上連続的に押されていないかＳ１０を判定する。押されている場合は故障判定手段７９に点火キーの故障である旨指示をするＳ１１。また、該当こんろが使用中で無い場合Ｓ７、点火動作である旨と優先度２であることを総合作動手段６４に指示しＳ１２、同一キーが所定時間以上連続的に押されていないかＳ１０を判定する。押されている場合は故障判定手段７９に、点火キーの故障である旨指示をするＳ１１構成としている。
【００５０】
ここで優先順位を設けてモーターを作動させる意味合いは、電池電源の場合大きな負荷を一度にかけると極端な電圧低下が発生し、マイコンの電圧も下がり停止することになる。これを防ぐためモーターは複数同時に回さないように配慮し、その場合安全性使い勝手から使用事象に応じて、優先度を設けるもので、優先度１は消火動作、優先度２は点火動作、優先度３は手動火力調節動作、優先度４は自動火力調節動作としている。
【００５１】
また点火キーの押し続けの配慮は、例えば、水滴がキーに入った、物がキーを押していた、等勝手にスイッチが入っていたという危険な状態を回避するための手段である。火力調節キーについても同様の意味合いで安全タイマーを設けているのである。
【００５２】
また、図８と図９は、火力調節のキー入力状態を示すもので、図８は単純５段階火力調節のキー入力方法を示し、図９は５段階火力制御に、リニアな火力制御を切り替えさせる操作を行う火力調節のキー入力を示した一例を示したものである。
【００５３】
図８に於いて、キー入力判定手段７２は、こんろが使用中であるか判断しＳ１３、使用中の場合火力調節キー入力が０．１秒以上か判定しＳ１４、その場合は左こんろがＳ１５、右こんろかＳ１６、グリルかＳ１７を判定し、該当こんろを記憶しＳ１８、火力がＵＰかＳ１９、ＤＯＷＮかＳ２０を判定し、総合作動手段６４へ優先度３と共に指示をしＳ２１、同一キーが所定時間以上連続的に押されていないかＳ２２、を判定する。押されている場合は故障判定手段７９に、火力キーの故障である旨指示をするＳ２３構成としている。
【００５４】
図９に於いて、キー入力判定手段７２は、こんろが使用中であるか判断しＳ２４、使用中の場合火力調節キー入力が０．１秒以上か判定しＳ２５、その場合は左こんろかＳ２６、右こんろかＳ２７、グリルかＳ２７−１を判定し、該当こんろを記憶しＳ２８、火力キーの押し時間が０．３秒以上か判断しＳ２９、以下の場合は、図９と同様に、火力がＵＰかＳ３０、ＤＯＷＮかＳ３１、を判定し総合作動手段６４へ優先度３と共に指示をしＳ３２、同一キーが所定時間以上連続的に押されていないかＳ３３を判定する。押されている場合は故障判定手段７９に火力キーの故障である旨指示をするＳ３４。
【００５５】
一方、０．３秒以上の場合（リニア火力制御）Ｓ２９は、火力がＵＰかＳ３５、ＤＯＷＮかＳ３６、を判定し、総合作動手段６４へ、リニア火力制御で、優先度３と共に指示しＳ３７、同一キーが所定時間（１０秒）以上連続的に押されていないかＳ３８を判定する。押されている場合は故障判定手段７９に、火力キーの故障である旨指示をするＳ３９。
【００５６】
リニア火力調節の火力キーは押し続ける時間が段階火力切替に比べて長いことから、Ｓ３８にて安全タイマーは長い時間にしているのである。
【００５７】
図１０は、操作部５にある左こんろ用の各種調理モードキーに対するキー入力判定手段７２の内容を示したものであ。調理モードキーの入力があった場合Ｓ４０、湯沸かしキーでないか判定しＳ４１、そうである場合は湯沸かしモードに決定しＳ４２、そうでない場合は天ぷら高キーでないか判定しＳ４３、そうでない場合は天ぷら低キーであるＳ４５、そうである場合は天ぷら高モードに選定しＳ４４、それぞれ、湯沸かしか、天ぷら高か、天ぷら低かを判定する。そののち、左こんろ使用中であるかＳ４６、使用中の場合点火してから１分以内か確認しＳ４７、１分以内の場合は次段の総合作動手段６４を介して左こんろ駆動判定部５９へ指示しＳ４８、そうでない場合はＳ４７、入力状態をリセットして元に戻すＳ５２。また、使用していない場合Ｓ４６は、タイマーを作動させＳ４９、所定時間内に点火動作があるか確認しＳ５０、所定時間に点火動作がある場合は次段の総合作動手段６４を介して左こんろ駆動判定部５９へ指示をしＳ４８、点火動作が無い場合はリセットして元に戻すＳ５２。
【００５８】
調理モード入力は点火操作の前後１分間としているが、基本的には点火前に調理モードの設定を行い点火する事とし、万一忘れた場合、点火後１分以内であれば設定可能としているのである。１分以上経過した場合受け付けないのは、調理モードにあった調理ソフトを実行させているからで、途中変更は調理の出来映えを悪化させるためである。但し図示していないが、モード内の移動は自由で、例えば、天ぷらの低から高には移動できる配慮を行って使い勝手の向上を図っている。以上が調理モードキーの設定に関する説明である。
【００５９】
また、図１１は、通常使用モードと異なるデモモードに関してのキー入力判定手段７２の内容を示したものである。デモモードとは器具の作動を説明するためのモードであり、デモモードの内容は一定でなく、ここでは、キー入力の判定に関して説明するものである。
【００６０】
湯沸かしキー３９の入力が０．１秒以上あるか判定しＳ５３、カウンタでカウントさせＳ５４、続けて４回あるか判定しＳ５５、あった場合、てんぷら高キー４０の入力が０．１秒以上あるか判定しＳ５６、カウンタでカウントさせＳ５７、続けて４回あった場合５８、デモモードであることを決定し、総合作動手段６４へデモモードであることを指示するＳ５９。
【００６１】
上記した内容がキー入力判定手段の具体内容の一例である。
【００６２】
次に上記のキー入力判定手段を介して次段の総合作動手段６４の内容を以下に記す。
【００６３】
図１２に示す総合作動手段６４は、点火キー入力があるか判定しＳ６０、電池の電圧を検出する電圧検出手段５７の電圧が電圧判定手段８１で３．２Ｖ以下か判定しＳ６１、以下の場合は、通常使用モードとしてデモモードか判定Ｓ６２し、以上の場合は検査実行モードとして、検査モード判定手段７７へ移行するＳ６３。尚、検査モード判定手段７７は別途記載する。前記３．２Ｖ以下の場合デモモードであるか判定しＳ６２、デモモードの場合は、デモモード判定手段７８に移行するＳ６４。尚、デモモード判定手段７８は別途記述する。
【００６４】
デモモードでない場合Ｓ６２、調理モード指示であるか判定しＳ６５、調理モード指示である場合は左こんろ駆動判定装置の調理モード設定手段に内容を指示するＳ６６。調理モード指示でない場合Ｓ６５、点火指示であるか判定しＳ６７、点火指示の場合、他のこんろを使用していないか判定しＳ６８、他のこんろを使用していない場合該当こんろに駆動指示を行いＳ６９、その後、元電磁弁２７を開成しＳ７０、点火器出力８８を出すＳ７１。
【００６５】
点火指示でない場合Ｓ６７、消火指示か火力変更指示の場合Ｓ６７−１、他のモーターが回転中か判定しＳ６７−２（点火操作で他こんろを使用している場合Ｓ６８もこの項に接続）、他のモーターが回転中の場合Ｓ６７−２、回転中の優先順位は該当こんろの優先順位と比べて早いかを判定しＳ６７−３、早い場合は回転中のモーターを停止させ、該当こんろに駆動指示をするＳ７２。そうでない場合Ｓ６７−３は該当こんろの駆動を待避させ回転完了まで待ち、停止後該当こんろの駆動を指示するＳ７３。他のモーターが駆動していない場合Ｓ６７−２該当こんろに駆動を指示するＳ７４。
【００６６】
図１３はこんろ駆動判定部の内容を示すもので、前記総合作動手段６４からの指示により作動する。まずエンコーダー３５の状態を位置判定手段９０（図５に示す相関表）で読みとり現在位置としＳ７５、閉止指示か判定しＳ７６、閉止指示の場合は閉止位置である確認をしＳ７７、閉止位置でない場合（エンコーダー位置が１００でない場合）は、モーターエラーＳＵＢに行きＳ７８、閉止位置の場合はＳ７６に戻る。
【００６７】
閉止指示でない場合Ｓ７６、点火指示か判定しＳ７９、その場合は２時間タイマーをＯＮしＳ８０、火力の目的位置を中強位置にセットし、パルス数を１０２にセットしＳ８１、速度を高速にし回転方向を強方向に指示しＳ８２、ランプの点灯を中強に指示するＳ８３。その後、駆動制御部５８内の省電力化判定手段（７）Ｓ８４とモーター速度制御手段（７６）Ｓ８５を介し、モーターＩＣを介してパルスを出力しＳ８６、モーターを回転させモーターに出力したパルス数をカウンタでカウントさせる「Ｎ＝Ｎ＋１」Ｓ８７。パルスカウンタのカウント数が「２０カウント＜Ｎ」となったときＳ８８、エンコーダー位置がＢゾーン「０００」であるか確認しＳ８９、そうでない場合は「モーターエラーＳＵＢ」Ｓ９０に進み（別途記述）、そうである場合はパルスカウンタが目的位置である中強位置１０２パルス数のＭパルス手前である「１０２−Ｍ＜Ｎ」に達したか判定しＳ９１、達した場合のみエンコーダー３５が目的位置である中強位置「０１０」であるか判定しＳ９２、エンコーダー３５が目的位置で無い場合、パルスカウンタの値Ｎが中強位置のパルス数１０２にＭを加算した値以上であるか「１０２＋Ｍ＜Ｎ」判定しＳ９３、そうでない場合はＳ８４に戻し、そうである場合はモーターエラーＳＵＢに飛ぶＳ９４（モーターエラーＳＵＢは後述）。
【００６８】
一方エンコーダー位置が目的の中強位置になった場合Ｓ９２、パルス数を基準の中強パルス数（１０２）に修正しＳ９５、点火器にＯＮ指示しＳ９６、バーナに着火したことを判別する熱起電力があるか「ＴＣ起電力有り？」判別しＳ９７、無い場合は７秒経過したか判別しＳ９８、７秒経過したら点火器をＯＦＦしてＳ９９、ＴＣエラーとしてＳ１００、故障判定手段７９へ指示するＳ１０１。前記７秒以内に熱起電力が発生した場合Ｓ９７、点火器をＯＦＦしてＳ１０２、再度熱起電力があるか判定しＳ１０３、熱起電力がある場合２時間経過したかを判定しＳ１０４、２時間経過した場合消火指示を行うＳ１０５。また熱起電力が無くなった場合Ｓ１０３、ＴＣエラー処理に行くＳ１００。
【００６９】
また、点火指示でない場合Ｓ７９、消火動作か判定しＳ１０６、消火動作でない場合は火力変更に進む（図１４に記載）。消火動作の場合まず目的位置を閉止位置、目的エンコダー位置を閉止位置「１００」とし、パルス数を閉子移動パルスＫ（現在位置から閉止位置までのパルス数を算出しＫに代入する（図５に示す相関表参照））Ｓ１０７。そして速度を高速、回転方向を弱方向としＳ１０８、ランプをｏｆｆ指示しＳ１０９、エンコーダー位置が「弱〜中弱」の位置にあるか判定しＳ１１０、その場合はモーター速度を微速にしＳ１１１、そうでない場合は高速に指示するＳ１１２。
【００７０】
その後、駆動制御部５８内の省電力化判定手段（７５）Ｓ１１３とモーター速度制御手段（７６）Ｓ１１４を介し、モーターＩＣを介してパルスを出力しＳ１１５、モーターを回転させモーターに出力したパルス数をカウンタでカウント「Ｋ＝Ｋ−１」させるＳ１１６。パルスカウンタのカウント数が目的位置であるＫからＰ手前に達したか「Ｋ＜Ｐ」判定しＳ１１７、達した場合のみエンコーダー３５が目的位置である閉止位置「１００」であるか判定しＳ１１８、その場合はその時点のエンコーダー位置のパルス数を０に置換しＳ１１９、駆動制御部５８に消火位置設定が終了であることを指示するＳ１２０。エンコーダー３５が目的位置である閉止位置「１００」で無い場合Ｓ１１８、パルスカウンタが目的パルス数ＫにＰ１を減算した値「Ｋ＜−Ｐ１」でない場合Ｓ１２１、Ｓ１１０に戻りＳ１２１、繰り返す。そうである場合はＳ１２１、モーターエラーＳＵＢに行くＳ１２２。（後述）
常に現在位置確認を行っているのは他こんろ使用中に使用していないこんろの閉止位置を確認し安全を確保するためである。また点火位置を中強位置にしているのは中火点火の目的で点火時の袖火対策の配慮であり強火で急激な点火で不安感がおこることを解消させるものである。２時間タイマーは消し忘れ防止の隠しタイマーで、安全性、省エネの配慮を行ったものである。
【００７１】
点火時、２０パルスの出力でエンコーダー３５の位置確認を行っているのは、初動時にトルク不足で閉子が可動しているかの確認を行うためで、もし閉子が可動していない場合は後述するトルクアップ電力で回転させるようにしてあり、当初は低トルクで作動させ電力を削減しようとする特徴を有するものである。
【００７２】
次に駆動制御部５８内の総合作動手段から火力変更の指示があった場合のこんろ駆動判定手段５９の動作を示すものである。火力変更には５段階火力変更と、５段階＋リニア火力変更の２方法があり図１４は５段階火力変更の場合を示し、図１５は５段階＋リニア火力変更の場合を示す。
【００７３】
図１４において、火力変更指示がＵＰか判定しＳ１４３、ＵＰの場合、現在位置が強位置であれば受け付けずＳ１４４、強位置でない場合は目的位置を現在火力＋１としＳ１４５、ランプを１個上に切替え点灯しＳ１４６、図５に基づいて現在のエンコーダ位置から１個上のエンコーダー位置Ｅに変更しＳ１４７、モーター駆動の出力パルス数Ｐを選択し「パルス数＝現在パルス（Ｇ）＋Ｐ」Ｓ１４８、回転方向を強方向に指示するＳ１４９。これが前回回転方向と同一方向か判定しＳ１５０、同一方向の場合は「目的パルス数＝パルス数」としＳ１５１、同一方向でない場合補正（ａ３）をパルス数に加算した値を目的パルス数とするＳ１５２。
【００７４】
速度指示のためエンコーダ位置が弱〜中弱範囲の時Ｓ１５３、速度を微速に指示しＳ１５４、中弱〜中範囲の時Ｓ１５５低速に指示しＳ１５６、中〜中強範囲の時Ｓ１５７中速に指示しＳ１５８、中強〜強の時Ｓ１５９高速に指示するＳ１６０。その後駆動制御部５８の省電力化手段（７５）Ｓ１６１とモーター速度判定手段（７６）Ｓ１６１−１とを介して、モーターにパルスを出力しＳ１６２、エンコーダー３５の位置判定とパルス数をカウントしＳ１６３、目的パルスよりＳパルス手前の「目的パルス−Ｓ＜（Ｇ）＋（ａ３）＋Ｎ」を判定しＳ１６４、条件成立時エンコーダ位置Ｅが指定位置であるか判定しＳ１６５、条件成立時はパルス数を図５に基づき標準位置に修正しＳ１６７、現在の回転方向を記憶させＳ１６８元のフローに戻すＳ１６９。条件成立時Ｓ１６４、エンコーダ位置Ｅが指定位置で無い場合Ｓ１６５、パルス数が目的パルスよりＳパルスオーバーの「パルス数＋Ｓ＜（Ｇ）＋（ａ３）−Ｎ」になったときＳ１７０、モータエラーＳＵＢに行くＳ１７１。
【００７５】
また、火力変更指示がＤＯＷＮの時Ｓ１７２、現在位置が弱位置であれば受け付けずＳ１７３、弱位置でない場合目的位置を現在位置−１としＳ１７４、ランプを現行から１個火力を下げた位置に変更しＳ１７５、図５に基づいて現在のエンコーダ位置から１個下のエンコーダー位置Ｅに変更しＳ１７６、モーター駆動の出力パルス数を「パルス数＝現在パルス（Ｇ）−Ｐ」を選択しＳ１７７、回転方向を弱方向に指示するＳ１７８。これが前回回転方向と同一方向か判定しＳ１７９、同一方向の場合は目的パルス数＝パルス数としＳ１８０、同一方向でない場合補正値（ａ３）をパルス数に加算した値を目的パルス数とするＳ１８１。
【００７６】
速度指示のためエンコーダ位置Ｅが弱〜中弱範囲の時Ｓ１８２速度を微速に指示しＳ１８３、中弱〜中範囲の時Ｓ１８４低速に指示しＳ１８５、中〜中強範囲の時Ｓ１８６中速に指示しＳ１８７、中強〜強の時Ｓ１８８高速に指示するＳ１８９。その後駆動制御部の省電力化手段Ｓ１９０とモーター速度判定手段Ｓ１９１を介してモーターにパルスを出力しＳ１９２、エンコーダ３５の位置判定Ｅとパルス数をカウントしＳ１９３、目的パルス数よりＳパルス手前の「目的パルス＋Ｓ＜（Ｇ）＋（ａ３）−Ｎ」を判定しＳ１９４、条件成立時エンコーダ位置Ｅが指定位置であるか判定しＳ１９５、条件成立時はパルス数を図５に基づき標準位置に修正しＳ１９６、現在の回転方向を記憶させＳ１９７、もとのフローに戻すＳ１６９。条件成立時エンコーダ位置Ｅが指定位置で無い場合Ｓ１９５、パルス数が目的パルス数よりＳオーバーの「目的パルス数−Ｓ＜（Ｇ）＋（ａ３）−Ｎ」になったときＳ１９８、モータエラーＳＵＢに行くＳ１７１。
【００７７】
図１５は火力５段階＋リニア火力調節の火力切替内容を示すもので、火力変更が５段切替か判定しＳ１９９、５段切替の場合は、前述図１４に示す内容を実行する（その説明は既述通り）。５段切替でない場合、すなわちリニア火力変更の場合Ｓ２００、火力変更がＵＰ方向の場合Ｓ２０１、現在が強位置か判定しＳ２０２、強位置の場合は元に戻しＳ１９９、そうでない場合は可動させるパルス数を現在パルスに＋Ｘ（Ｘの値は２〜５の範囲で火力変化が目で解る程度の値で燃焼部位毎に設定する）加算した値としＳ２０３、回転方向を強方向に指示するＳ２０４。これが前回と回転方向が同じか判断しＳ２０５、同じ場合は目的パルス数＝パルス数としＳ２０６、回転方向が異なる場合は目的パルス数＝パルス数＋（ａ３）としＳ２０７、パルス数の設定を行う。ここで（ａ３）は回転方向を変えたときの機構の遊びをソフトで解消させるステップ数で前述した内容である。
【００７８】
可動目的パルス数が決定したら、次はエンコーダー３５の位置が弱〜中弱の範囲の場合Ｓ２０８、速度を微速Ｓ２０９、中弱から中の範囲の場合Ｓ２１０、低速Ｓ２１１、中〜中強の場合Ｓ２１２速度を中速Ｓ２１３、中速から強の範囲の時Ｓ２１４速度を高速Ｓ２１５とし、駆動制御部５８の省電力化手段（７５）Ｓ２１６とモーター速度判定手段（７６）Ｓ２１７を介して、モーターにパルスを出力するＳ２１８。その後、エンコーダー３５の位置とパルスカウンタでパルス数を検出しＳ２１９、目的位置になったらＳ２１９−１、火力のランプに関して弱〜中弱の範囲の場合Ｓ２２０、ランプを中弱にＳ２２１、中弱から中の範囲の場合Ｓ２２２、ランプを中にＳ２２３、中〜中強の場合Ｓ２２４、ランプを中強にＳ２２５、中強〜強の範囲の時Ｓ２２６、ランプを中強にＳ２２７、強の場合Ｓ２２８、ランプを強にＳ２２９、指示し、火力調節キーが押し続けの場合はＳ２３０、そうでない場合は元のＳ２０１に戻す。ランプの指示の目的は弱位置のランプは弱火力になったときのみ点灯させる最小火力の保証である。
【００７９】
火力変更がＤＯＷＮ方向の場合Ｓ２３１、現在が弱位置か判定しＳ２３２、弱位置の場合は元に戻しＳ１９９、そうでない場合は可動させるパルス数を現在パルスに−Ｘ（Ｘの値は２〜５の範囲で火力変化が目で解る程度の値で器具毎に設定する）減算した値としＳ２３３、回転方向を弱方向に指示しＳ２３４、前回と回転方向が同じか判断しＳ２３５、同じ場合は目的パルス数＝パルス数としＳ２３６、回転方向が異なる場合は目的パルス数＝パルス数＋（ａ３）としＳ２３７、パルス数の設定を行う。ここで（ａ３）は回転方向を変えたときの機構の遊びをソフトで解消させるステップ数で前述した内容である。
【００８０】
可動目的パルス数が決定したら、次はエンコーダー３５の位置が弱〜中弱の範囲の場合Ｓ２３８速度を微速Ｓ２３９、中弱から中の範囲の場合Ｓ２４０低速Ｓ２４１、中〜中強の場合Ｓ２４２速度を中速Ｓ２４３、中速から強の範囲の時Ｓ２４４速度を高速としＳ２４５、駆動制御部５８の省電力化手段Ｓ２４６とモーター速度判定手段Ｓ２４７を介して、モーターにパルスを出力するＳ２４８。その後、エンコーダー３５の位置とパルスカウンタでパルス数を検出しＳ２４９、目的位置になったらＳ２４９−１、火力のランプに関して弱〜中弱の範囲の場合Ｓ２５０ランプを弱にＳ２５１、中弱から中の範囲の場合Ｓ２５２ランプを中弱にＳ２５３、中〜中強の場合Ｓ２５４ランプを中にＳ２５５、中強〜強の範囲の時Ｓ２５６ランプを中強にＳ２５７、強の場合Ｓ２５８ランプを強にＳ２５９、指示し、火力調節キーが押し続けの場合は２３０、Ｓ２０１に戻すＳ２３０−１、そうでない場合は元に戻すＳ２３０−２。
【００８１】
尚、ランプの指示の目的は強位置のランプは強火力になったときのみ点灯させる最強火力の保証である。
【００８２】
また、ランプの表示については例えば弱位置は弱のみのランプの点灯、次の中弱位置は中弱位置のみの点灯とし、弱と中弱位置の中間の場合は弱ランプと中弱ランプを点灯させ、中間にあるという表示をさせる方法は、第２の実施例として有効である。
【００８３】
上記したことにより火力切替が段階切替とリニア切替の双方が簡単に可能となり調理目的により選択可能となるのである。
【００８４】
特に、リニア火力に変化させるときは、大まかな火力まで段階火力で選定し、その時点で押し続けることにより、リニア火力に変化するため合わせ易さも向上した。
【００８５】
次に各こんろの駆動判定部５９、６０、６１内にあるモーター誤作動処理の「モーターエラーＳＵＢ」に関して説明する。図１６はその概略フローを示したもので、モーターエラーが発生しこのルーチンに入ったとき、モーター速度を高速にしＳ２６０、トルクを最高に指示しＳ２６１、回転方向をエラー処理前と同一にしＳ２６２、目的位置もエラー処理前と同一にしＳ２６３、駆動制御部５８内の省電力化判定手段Ｓ２６４とモーター速度判定手段７６Ｓ２６５を介して、モーターにパルスを出力するＳ２６６。このことは通常トルクで作動しないとき高トルクで再度動作させることを意味している。
【００８６】
回転方向が強回転の時Ｓ２６７、パルスカウンタでパルスのカウントを行い「Ｎ＝Ｎ＋１」Ｓ２６８、エンコーダー３５の位置検出を行いＳ２６９、エンコーダー３５が目的位置か判定しＳ２６９、目的位置にきた場合はパルス数を図５に乗っ取り修正しＳ２７０、元のフローにリターンさせるＳ２７１。目的のエンコーダ位置が発見できず前回の目的パルス数から所定値Ｍを加算した値にＮが到達したか「目的パルス＋Ｍ＞Ｎ」を判定しＳ２７２、達していない場合はＳ２６３に戻り、達した場合は１回目か判定しＳ２７３、１回目の場合は回転方向を弱方向に逆転させＳ２７４、モーター速度を高速にしＳ２７５、トルクを最高に指示しＳ２７６、駆動制御部５８内の省電力化判定手段Ｓ２７７とモーター速度判定手段７６Ｓ２７８を介して、モーターにパルスを出力するＳ２７９。
【００８７】
パルスカウンタ２でパルスをカウントし「Ｑ＝Ｑ＋１」Ｓ２８０、Ｑ＞１０となったときＳ２８１、モーターの回転を逆転させＳ２８２、Ｍ＝３０としＳ２８３、Ｓ２６３に戻す。このことは逆方向に回転させ、障害物を排除させることを意味する。Ｓ２６３から同一処理をフローに従って行い、目的エンコーダ位置が発見できずＳ２６９、「目的パルス＋Ｍ（Ｍの値は大きくしてある）＞Ｎ」を判定しＳ２７２、その場合には１回目か判定しＳ２７３、２回目となっているためモーター故障と判定しＳ２８４、故障処理に行くＳ２８５。
【００８８】
また、モーター回転が弱方向の時はＳ２６７、下記の内容が処理の都合上変化するものでその部分を説明する。先のパルスカウンタでパルスのカウントを行い「Ｎ＝Ｎ＋１」Ｓ２６８が「Ｎ＝Ｎ−１」となりＳ２８６、先の目的パルス数から所定値Ｍを加算した値にＮが到達したか「目的パルス＋Ｍ＞Ｎ」Ｓ２７２が、「目的パルス−Ｍ＜Ｎ」となるＳ２８７。それ以外は同一である。これらのことは、一度でモーターを故障と判定させず通常トルクで作動させ、それでも目的位置が無いときは更にバックさせて障害物を排除し再度目的位置に合わせるという配慮をしたものであり、上記したことにより、モーターエラーが発生した場合、トルク不足やその原因である初回可動時のグリスの粘着や、シール部の固着、またこれらを見越した過大トルクで作動させる無駄な電力消費が解消でき、かつ頻繁に上手く作動しないというクレームも解消が可能となるのである。
【００８９】
上記した火力変更は自動調理モードにも適用され、自動調理モードと火力調節の関係を図６と図１７（ａ）〜（ｃ）、図１８、図１９を用いて以下に述べる。
【００９０】
左こんろ駆動判定部５９内の調理モード選択とモード選択をしない自動判別調理モードについて説明する。左こんろ１の場合は、操作パネル５から調理モード指定が有る場合と、無い場合とがあるので、左こんろ駆動判定部５９の調理モード判定部８３は、図１７（ａ）（ｂ）（ｃ）に示すフローチャートと図１８図１９のように、２通りの処理手順を実行する。
【００９１】
操作パネル５からの調理モード指定がなく、左こんろ１の点火操作がなされたときには、図１７（ａ）（ｂ）（ｃ）に示す処理が実行される。
【００９２】
図１７（ａ）で温度判定部８２は、鍋底温度センサー２により検出された温度を取り出しＳ２８８、この温度データを演算処理してＳ２８９、演算結果を調理モード判定部８３に入力する。調理モード判定部８３は、演算結果から水物調理であるか否かを判定しＳ２９０、水物調理である場合には、沸騰温度から焦げ付き防止温度を決定した後Ｓ２９１、焦げ付き防止判定部８４に処理を移行させるＳ２９２。
【００９３】
先のステップＳ２９０において水物調理でないと判定されたときには、油物調理として決定されＳ２９３、この後、油物調理の過熱を監視するため油物調理の過熱防止温度が決定された後Ｓ２９４、過熱防止判定部８５に処理を移行させるＳ２９５。
【００９４】
引き続き、上記調理モード判定部８３から処理が移行された各部の処理動作について説明する。
【００９５】
上記調理モード判定部８３の処理手順のステップＳ２９２から処理が移行された焦げ付き防止判定部８４の処理手順を図１７（ｂ）に示す。鍋底温度センサー２による検出温度であるセンサー温度について「センサー温度＞焦げ付き防止温度−１５℃」の条件判定が行われＳ２９６、この条件成立が初回か否かの判定がなされるＳ２９７。これが初回であったときには、ブザーなどで報知し、初回でないときは、焦げ付き至る状態であるが、まだ少し時間を要する状態と考えられるので、左こんろガス制御部２９を弱位置とするための指令信号を左こんろ駆動判定部５９に出力するＳ２９９。左こんろ駆動判定部５９はモーター３４により流量制御機構３３を駆動してガス流量が弱位置となるようにして燃焼火力を弱める制御を行う。
【００９６】
次に、焦げ付きタイマーをＯＮ動作させＳ３００、これがＸ秒経過したか否かを判定してＳ３０１、Ｘ秒経過した後、「センサー温度＞焦げ付き防止温度」の条件判定が行われＳ３０２、条件成立であるときには焦げ付きと判断できるので、左こんろ駆動判定部５９の制御により左こんろガス制御部２９を閉栓（ＯＦＦ）するＳ３０３。
【００９７】
また、ステップＳ３０２の判定処理により「センサー温度＞焦げ付き防止温度」の条件が成立しない焦げ付き温度以下であるときには、「センサー温度＞焦げ付き防止温度−５℃」の条件判定を行いＳ３０４、条件成立であるときには左こんろ駆動判定部５９にガス制御部３３を中火力位置にする指令を出力してＳ３０５、前記ステップＳ３０４の条件判定が成立しなかった場合と共にステップＳ２９６に戻す。
【００９８】
この焦げ付き防止判定部８４の処理動作により、鍋底温度センサー２による鍋底温度の検出に基づいて水物調理（煮物）における焦げ付きを防止する処理がなされ、使用者がガス調理器から離れているときには、焦げ付きが発生する前に左こんろ１の燃焼を停止させる処理が実行される。
【００９９】
上記調理モード判定部８３の処理手順のステップＳ２９５から処理が移行された過熱防止判定部８５の処理手順を図１７（ｃ）に示す。
【０１００】
「センサー温度＞過熱防止温度−１０℃」の条件判定がなされＳ３０６。この条件判定が成立する場合には、これが初回であるか否かを判定しＳ３０７、初回であるときにはブザーなどで報知しＳ３０８、左こんろ駆動判定部５９はガス制御部２９に弱位置に駆動制御する指令を出力するＳ３０９。先のステップＳ３０７の判定において初回でないときは、ブザー報知することなく、このステップＳ３０９に移行される。次に、「センサー温度＞過熱防止温度」の条件判定がなされＳ３１０、条件成立のときには過熱状態であるので、左こんろ駆動判定部５９にガス流量制御部３３に閉止させる指令を出力して終了するＳ３１１。
【０１０１】
また、前記ステップＳ３１０による条件判定が成立しなかったときには、「センサー温度＜過熱防止温度−１８℃」の条件判定がなされＳ３１２、条件成立するときには左こんろ駆動判定部５９にガス制御部２９を強火力位置に制御する指令を出力してＳ３１３、ステップＳ３０６に処理を戻す。条件成立しないときには「センサー温度＜過熱防止温度−５℃」の条件判定がなされＳ３１４、左こんろ駆動判定部５９にガス制御部２９を中火力位置に制御する指令を出力してＳ３１５、ステップＳ３０６に処理を戻す。
【０１０２】
上記したことにより天ぷらを揚げていて万一その場を離れた場合の天ぷら油の異常加熱を防止させ火災の危険を回避できるのである。
【０１０３】
以降調理モード設定を行った場合について図１８、図１９で説明する。
【０１０４】
調理モード設定キーで調理モードキー入力があった場合も先の無かった場合のＳ２８８〜Ｓ２９５のフローを介して、調理モード判定部は、鍋底温度センサー２により検出される鍋類の温度及び操作パネル５から入力される調理モード指定に基づいて調理モードを設定し、水物調理の場合は焦げ付き防止判定部８４を、油物調理の場合は過熱防止判定部８５を、湯沸かしの場合は湯沸かし判定部８７を動作させる。また、設定された各調理モードにおける温度調節は、温度調節判定部８６を動作させて温度管理を実行させる。
【０１０５】
上記調理モード判定部８３の処理手順のステップＳ４８から処理が移行された天ぷらモードの温度調節判定部８６の処理手順を図１８に示す。まず、「センサー温度＞設定温度」の条件判定がなされるＳ３１６。この条件判定が成立する場合には、これが１回目であるか否かを判定しＳ３１７、１回目であるときにはブザーなどで報知するＳ３１８。続いて、１回目でないときと共に、「センサー温度＞設定温度＋１０℃」の条件判定がなされるＳ３１９。この条件が成立するときには、左こんろ駆動判定部３４にガス制御部２９を弱位置に駆動制御する指令を出力してＳ３２０、ステップＳ３１６に処理を戻す。逆に、条件が成立しないときには、「センサー温度＞設定温度＋５℃」の条件判定がなされＳ３２１、条件が成立するときには、左こんろ駆動判定部５９にガス制御部２９を中火力位置に駆動制御する指令を出力してＳ３２２、ステップＳ３１６に処理を戻す。
【０１０６】
また、先のステップＳ３１６の処理において、条件が成立しなかったときには、「センサー温度＜設定温度−１０℃」の条件判定がなされＳ３２３、条件が成立するときには、左こんろ駆動判定部５９にガス制御部２９を強位置に駆動制御する指令を出力しＳ３２４、条件が成立しないときには、「センサー温度＜設定温度−５℃」の条件判定がなされＳ３２５、この条件が成立するときには、左こんろ駆動判定部５９にガス制御部２９を中火力位置に駆動制御する指令を出力してＳ３２６、ステップＳ３１６に処理を戻す。
【０１０７】
上記した内容により、設定した油温に制御し、天ぷらを揚げるのに適した温度制御で美味しい揚げ物が出来る器具を提供できることとなる。
【０１０８】
上記調理モード判定部８３の処理手順のステップＳ４８から処理が移行された湯沸かし判定部８７の処理手順を図１９に示す。温度判定部８２からの温度データを取得しＳ３２７、これを演算処理してＳ３２８、この演算結果から６０秒前の温度と比較した温度上昇が２℃以内の状態が連続２回あったか否かが判定されるＳ３２９。湯沸かし温度が沸騰点に達した状態では温度上昇は少ないので、判定が成立する状態となったときには沸騰と判断され、この後、左こんろ駆動判定部５９にガス制御部２９を弱位置に駆動制御する指令が出力されＳ３３０、タイマーをＯＮ動作させてＳ３３１計時を開始し、５分経過をカウントしてＳ３３２、５分経過したときには自動消火するために、ガス制御部２９を閉栓作動させＳ３３３終了する。
【０１０９】
上記した内容により、湯を沸かして自動的に弱火にして５分間燃焼させカルキを抜いて自動消火させる便利な湯沸かし機能を提供できることとなる。
【０１１０】
上記説明のように、左こんろ１の場合、調理モード判定部８３から始まる各処理手順に伴う左こんろ１の燃焼は、左こんろ駆動判定部５９により自動制御される。
【０１１１】
図２０は検査モード判定手段７７の内容を示すもので、検査モード判定手段７７には検査モード判定部７７−１と、完成品検査実行手段７７−２と、部品検査実行手段７７−３とを有し、各種入力が入った場合検査モード判定部７７−１で、部品検査モードか、完成品検査モードか判定し各々の実行手段を実行し、次段の各種出力に伝達する。
【０１１２】
図２１（ａ）（ｂ）は、検査モード判定手段７７の検査モード判定部７７−１のフローを示したもので、２方法の実施例を示す。図２１（ａ）は電池５１の電圧を電圧検出手段５７で検出し、電圧判定手段８１で電圧を判定し、その電圧がＸＶであるか計測しＳ４７４、その電圧が４Ｖ以上であるか判定しＳ４７５、４Ｖ未満の場合は通常使用モードとして処理を行いＳ４７６、４Ｖ以上の場合は４．５Ｖ以上であるか判定しＳ４７７、４．５Ｖ未満の場合は完成品検査モードとして判定しＳ４７８、完成品検査モードに移行する。４．５Ｖ以上の場合は部品検査モードとしＳ４７９、部品検査モードに移行する。図２１（ｂ）は電池５１の電圧を電圧検出手段５７で検出し、電圧判定手段８１で電圧を判定し、その電圧がＸＶであるか計測しＳ４８０、その電圧が４Ｖ以上であるか判定しＳ４８１、４Ｖ未満の場合は通常使用モードとして処理を行いＳ４８２、４Ｖ以上の場合はチャイルドロックスイッチがＯＮか判定しＳ４８３、ＯＦＦ場合は完成品検査モードとして判定しＳ４８４、完成品検査モードに移行する。ＯＮの場合は部品検査モードとしＳ４８５、部品検査モードに移行する。
【０１１３】
上記したように検査モード判定部７７−１は電源電圧を判別し、電源電圧やユーザーの使用するスイッチとの組み合わせでモードを選択するものである。このことは、器具や回路をさわらず印加電圧やユーザーの使用するスイッチとの組み合わせで自動的に検査モードにする目的が選択できるという特徴を有し、製造工程の短縮や余分なスイッチ等を省ける効果がある。
【０１１４】
図２２は完成品検査モードの一例のフローを示したものである。温度センサー２の抵抗値を温度判定手段８２を介してセンサー温度として取り込みＳ４８６、完成品検査実行手段７７−２内の温度データバイナリー交換手段７７−４を介して温度データバイナリー変換を行いＳ４８７、表示出力段７３にバイナリー出力を行う。このことにより検査機の受光管でバイナリーデータを光読させ現在温度を読みとり良否の判定を検査機で行える。その後電磁弁検査出力を出しＳ４８９、左こんろを強状態にしＳ４９０、電磁弁をＯＦＦ（ＳＶＯＦＦ）にしＳ４９１、タイマーをＯＮにしてＳ４９２、Ｘ秒経過したか判定しＳ４９３（この間に外部試験器で電磁弁のガス漏れを検出させる）、テストを終了させ消火状態に戻すＳ４９４。
【０１１５】
その後全こんろ検査１を出力しＳ４９５、全こんろＯＦＦにしＳ４９６、電磁弁をＯＮ（ＳＶＯＮ）にしてＳ４９７、タイマーをＯＮにしてＳ４９８、Ｘ秒経過したか判定しＳ４９９（この間に全こんろがガス漏れしていないことを外部試験器で確認させる）、テストを終了させ消火状態に戻すＳ４９４。
【０１１６】
その後左こんろの点火があるか判定しＳ５００、有りの場合は左こんろに点火の駆動指示を行いＳ５０１、続いて強火力位置に指示しＳ５０２、タイマーをＯＮしＳ５０３、Ｘ秒経過したか判定しＳ５０４（この間に外部試験器で強火力時のガスの流量を測定する。）、続いて弱火力位置に指示しＳ５０５、タイマーをＯＮしＳ５０６、Ｘ秒経過したか判定しＳ５０７（この間に外部試験器で弱火力時のガスの流量を測定する。）、時間経過したら消火指示を行うＳ５０８。
【０１１７】
左こんろの点火がない場合Ｓ５００、右こんろの点火があるか判定しＳ５０９、有りの場合は右こんろに点火の駆動指示を行いＳ５１０、続いて強火力位置に指示しＳ５１１、タイマーをＯＮしＳ５１２、Ｘ秒経過したか判定しＳ５１３（この間に外部試験器で強火力時のガスの流量を測定する。）、続いて弱火力位置に指示しＳ５１４、タイマーをＯＮしＳ５１５、Ｘ秒経過したか判定しＳ５１６（この間に外部試験器で弱火力時のガスの流量を測定する。）、時間経過したら消火指示を行うＳ５１７。
【０１１８】
右こんろの点火がない場合Ｓ５０９、グリルの点火があるか判定しＳ５１８、有りの場合はグリルに点火の駆動指示を行いＳ５１９、続いて強火力位置に指示しＳ５２０、タイマーをＯＮしＳ５２１、Ｘ秒経過したか判定しＳ５２２（この間に外部試験器で強火力時のガスの流量を測定する。）、続いて弱火力位置に指示しＳ５２３、タイマーをＯＮしＳ５２４、Ｘ秒経過したか判定しＳ５２５（この間に外部試験器で弱火力時のガスの流量を測定する。）、時間経過したら消火指示を行うＳ５２６。
【０１１９】
上記したことにより、製造ラインで印加電圧を変化させることにより、完成品検査モードとし、自動的に温度センサー温度を知らせ、電磁弁のガス漏れ、各ガスコックのガス漏れ、及び各コックの、最大流量と、最小流量に自動的に測定時間終了後セットし、外部の試験器で流量測定を行う自動検査を完成品のマイコンで行うことが出来、品質の確保と検査時間の短縮、工数削減が図れる事となるのである。
【０１２０】
図２３は、部品検査の概略フローを示したものである。まず電磁弁検査出力を行いＳ５２７、左こんろを強にしＳ５２８、電磁弁をＯＦＦ（ＳＶＯＦＦ）にしＳ５２９、タイマーをＯＮにしＳ５３０、Ｘ秒経過したか判定しＳ５３１（この間に外部検査機で電磁弁のガス漏れを検査する）、外部信号があるか判定しＳ５３２、有りの場合は、テストを完了させ消火状態とするＳ５３３。
【０１２１】
次に左こんろ検査出力１を出しＳ５３４、左こんろＯＦＦを確認しＳ５３５、電磁弁をＯＮ（ＳＶＯＮ）にしＳ５３６、タイマーをＯＮにしＳ５３７、Ｘ秒経過したか判定しＳ５３８（この間に外部試験器で全コックのガス漏れを検査する）、時間経過後外部信号があるか判定しＳ５３９、有りの場合は、テストを完了させ消火状態とするＳ５４０。
【０１２２】
次に左こんろ検査出力２を出しＳ５４１、左こんろを弱位置にしＳ５４２、電磁弁をＯＮ（ＳＶＯＮ）にしＳ５４３、タイマーをＯＮにしＳ５４４、Ｘ秒経過したか判定しＳ５４５（この間に外部試験器で左こんろの弱流量の検査をする）、時間経過後外部信号があるか判定しＳ５４６、有りの場合は、テストを完了させ消火状態とするＳ５４７。
【０１２３】
次に左こんろ検査出力３を出しＳ５４８、左こんろを中弱位置にしＳ５４９、電磁弁をＯＮ（ＳＶＯＮ）にしＳ５５０、タイマーをＯＮにしＳ５５１、Ｘ秒経過したか判定しＳ５５２（この間に外部試験器で左こんろの弱流量の検査をする）、時間経過後外部信号があるか判定しＳ５５３、有りの場合は、テストを完了させ消火状態とするＳ５５４。
【０１２４】
次に左こんろ検査出力４を出しＳ５５５、左こんろを中位置にしＳ５５６、電磁弁をＯＮ（ＳＶＯＮ）にしＳ５５７、タイマーをＯＮにしＳ５５８、Ｘ秒経過したか判定しＳ５５９（この間に外部試験器で左こんろの弱流量の検査をする）、時間経過後外部信号があるか判定しＳ５６０、有りの場合は、テストを完了させ消火状態とするＳ５６１。
【０１２５】
次に左こんろ検査出力５を出しＳ５６２、左こんろを中強位置にしＳ５６３、電磁弁をＯＮ（ＳＶＯＮ）にしＳ５６４、タイマーをＯＮにしＳ５６５、Ｘ秒経過したか判定しＳ５６６（この間に外部試験器で左こんろの弱流量の検査をする）、時間経過後外部信号があるか判定しＳ５６７、有りの場合は、テストを完了させ消火状態とするＳ５６８。
【０１２６】
次に左こんろ検査出力６を出しＳ５６９、左こんろを強位置にしＳ５７０、電磁弁をＯＮ（ＳＶＯＮ）にしＳ５７１、タイマーをＯＮにしＳ５７２、Ｘ秒経過したか判定しＳ５７３（この間に外部試験器で左こんろの弱流量の検査をする）、時間経過後外部信号があるか判定しＳ５７４、有りの場合は、テストを完了させ消火状態とするＳ５７５。
【０１２７】
次に右こんろ検査出力１を出しＳ５７６、右こんろＯＦＦを確認しＳ５７７、電磁弁をＯＮ（ＳＶＯＮ）にしＳ５７８、タイマーをＯＮにしＳ５７９、Ｘ秒経過したか判定しＳ５８０（この間に外部試験器で右コックのガス漏れを検査する）、時間経過後外部信号があるか判定しＳ５８１、有りの場合は、テストを完了させ消火状態とするＳ５８２。
【０１２８】
次に右こんろ検査出力２を出しＳ５８３、右こんろを弱位置にしＳ５８４、電磁弁をＯＮ（ＳＶＯＮ）にしＳ５８５、タイマーをＯＮにしＳ５８６、Ｘ秒経過したか判定しＳ５８７（この間に外部試験器で右こんろの弱流量の検査をする）、時間経過後外部信号があるか判定しＳ５８８、有りの場合は、テストを完了させ消火状態とするＳ５８９。
【０１２９】
次に右こんろ検査出力３を出しＳ５９０、右こんろを中弱位置にしＳ５９１、電磁弁をＯＮ（ＳＶＯＮ）にしＳ５９２、タイマーをＯＮにしＳ５９３、Ｘ秒経過したか判定しＳ５９４（この間に外部試験器で右こんろの弱流量の検査をする）、時間経過後外部信号があるか判定しＳ５９５、有りの場合は、テストを完了させ消火状態とするＳ５９６。
【０１３０】
次に右こんろ検査出力４を出しＳ５９７、右こんろを中位置にしＳ５９８、電磁弁をＯＮ（ＳＶＯＮ）にしＳ５９９、タイマーをＯＮにしＳ６００、Ｘ秒経過したか判定しＳ６０１（この間に外部試験器で右こんろの弱流量の検査をする）、時間経過後外部信号があるか判定しＳ６０２、有りの場合は、テストを完了させ消火状態とするＳ６０３。
【０１３１】
次に右こんろ検査出力５を出しＳ６０４、右こんろを中強位置にしＳ６０５、電磁弁をＯＮ（ＳＶＯＮ）にしＳ６０６、タイマーをＯＮにしＳ６０７、Ｘ秒経過したか判定しＳ６０８（この間に外部試験器で右こんろの弱流量の検査をする）、時間経過後外部信号があるか判定しＳ６０９、有りの場合は、テストを完了させ消火状態とするＳ６１０。
【０１３２】
次に右こんろ検査出力６を出しＳ６１１、右こんろを強位置にしＳ６１２、電磁弁をＯＮ（ＳＶＯＮ）にしＳ６１３、タイマーをＯＮにしＳ６１４、Ｘ秒経過したか判定しＳ６１５（この間に外部試験器で右こんろの弱流量の検査をする）、時間経過後外部信号があるか判定しＳ６１６、有りの場合は、テストを完了させ消火状態とするＳ６１７。
【０１３３】
次にグリル検査出力１を出しＳ６１８、グリルＯＦＦを確認しＳ６１９、電磁弁をＯＮ（ＳＶＯＮ）にしＳ６２０、タイマーをＯＮにしＳ６２１、Ｘ秒経過したか判定しＳ６２２（この間に外部試験器でグリルコックのガス漏れを検査する）、時間経過後外部信号があるか判定しＳ６２３、有りの場合は、テストを完了させ消火状態とするＳ６２４。
【０１３４】
次にグリル検査出力２を出しＳ６２５、グリルを弱位置にしＳ６２６、電磁弁をＯＮ（ＳＶＯＮ）にしＳ６２７、タイマーをＯＮにしＳ６２８、Ｘ秒経過したか判定しＳ６２９（この間に外部試験器でグリルの弱流量の検査をする）、時間経過後外部信号があるか判定しＳ６３０、有りの場合は、テストを完了させ消火状態とするＳ６３１。
【０１３５】
次にグリル検査出力３を出しＳ６３２、グリルを弱位置にしＳ６３３、電磁弁をＯＮ（ＳＶＯＮ）にしＳ６３４、タイマーをＯＮにしＳ６３５、Ｘ秒経過したか判定しＳ６３６（この間に外部試験器でグリルの弱流量の検査をする）、時間経過後外部信号があるか判定しＳ６３７、有りの場合は、テストを完了させ消火状態としＳ６３８、テストを完了するＳ６３９。
【０１３６】
上記したことにより、製品の組込マイコンで、印加電圧を変化させることにより、部品検査モードと成し、外部の検査装置と相まって、電磁弁のガス漏れ、個々のコックのガス漏れ、及び個々のコックの指定位置におけるガスの流量が自動検査可能となり、しかも、このユニットはそのまま完成品に使用できることから、品質の確保、検査設備の費用削減、自動検査による工数削減が可能となる。
【０１３７】
図２４（ａ）は故障判定手段７９の概略を示す図であり、電磁弁判定部７９−１、温度センサー判定部７９−２、故障判定部７９−３からなっている事を示している。図２４（ｂ）は電磁弁判定部７９−１の電子回路の部分図を示したもので、電磁弁を駆動するトランジスタＴｒ１、トランジスタＴｒ２とマイコンのポートＡ、Ｂ、Ｃの関係を表す図面であり、電源＋からトランジスタＴｒ１のエミッタを通り、同コレクタを通ってトランジスタＴｒ２のエミッタとの交点からマイコンのＢポートに結線されている。トランジスタＴｒ２のコレクタから電磁弁に結線されている。トランジスタＴｒ１のベースはマイコンのＡポート、トランジスタＴｒ２のベースはマイコンのＣポートに結線されている。
【０１３８】
図２５（ａ）は前記電磁弁判定部７９−１の概略フローを示したもので、電磁弁のＯＮ指示があった場合Ｓ６４０、マイコンのＡポートをＯＮし、トランジスタＴｒ１のベース電流を流してＯＮし、トランジスタＴｒ２を０ＦＦにしＳ６４１、マイコンのＢポートがＨｉレベルであるか確認しＳ６４２（トランジスタＴｒ２が０ＦＦである確認）、そうであればトランジスタＴｒ１、トランジスタＴｒ２ともＯＦＦにしＳ６４５（トランジスタＴｒ１が０ＦＦである確認）、マイコンのＢポートがＬＯＷレベルであるか確認しＳ６４６、そうであれば、トランジスタは正常として、トランジスタＴｒ１、トランジスタＴｒ２をＯＮしＳ６４７、電磁弁に電力を供給し元へ戻すＳ６４８。一方Ｓ６４２、Ｓ６４６で正常でない場合ＳＶエラーとしＳ６４３、故障判定部に進むＳ６４４。
【０１３９】
上記したように、電磁弁判定部７９−１は、トランジスタを個々にチェックし双方が正常であることを確認し電磁弁に電力を供給し、故障の場合は故障判定して、次段に進む構成としていることにより安全性を確保しているのである。
【０１４０】
図２５（ｂ）は前記温度センサー判定部７９−２の概略フローを示したもので、温度センサーを使用した左こんろが使用中であるか判断しＳ６４９、使用中の場合２０秒経過したか判断しＳ６５０、経過した場合温度データを取り込みＳ６５１、演算処理しＳ６５２、その結果が温度センサーの短絡以外にあり得ない温度の３００℃以下か判断しＳ６５３、３００℃以下の場合は温度センサーの断線以外にあり得ない温度の−１０℃以上か判断しＳ６５４、正常の温度の場合は元に戻すＳ６５５。Ｓ６５３で３００℃以上の場合もしくはＳ６５４で−１０℃以下の場合、温度センサーエラーとしＳ６５６、故障判定部へ進むＳ６５７。
【０１４１】
上記したように、温度センサーは断線、短絡していないかを確認し、安全の確保を行っている。
【０１４２】
図２６は前記故障判定部７９−３の概略フローを示したもので、故障有りと判断したときＳ６５８、点火キーか判定しＳ６５９、その場合は左こんろか判定しＳ６６０、左こんろの場合は左こんろの消火指示を行いＳ６６１、故障表示判定手段７４に左こんろ点火キー不良指示を行うＳ６６２。
【０１４３】
一方左こんろでない場合Ｓ６６０、その場合は右こんろか判定しＳ６６３、右こんろの場合は右こんろの消火指示を行いＳ６６４、故障表示判定手段７４に右こんろ点火キー不良指示を行うＳ６６５。
【０１４４】
一方右こんろでない場合Ｓ６６６、その場合はグリルとしＳ６７３、グリルの消火指示を行いＳ６６７、故障表示判定手段７４に右こんろ点火キー不良指示を行うＳ６６８。
【０１４５】
一方点火キーでない場合Ｓ６５９、火力キーか判定しＳ６６９、その場合は左こんろか判定しＳ６７０、左こんろの場合は左こんろの消火指示を行いＳ６７１、故障表示判定手段７４に左こんろ火力キー不良指示を行うＳ６７２。
【０１４６】
一方左こんろでない場合Ｓ６７０、その場合は右こんろか判定しＳ６７３、右こんろの場合は右こんろの消火指示を行いＳ６７４、故障表示判定手段７４に右こんろ火力キー不良指示を行うＳ６７５。
【０１４７】
一方右こんろでない場合Ｓ６７３、その場合はグリルとしＳ６７６、グリルの消火指示を行いＳ６７７、故障表示判定手段７４に右こんろ火力キー不良指示を行うＳ６７８。
【０１４８】
一方火力キーでない場合Ｓ６６９、熱電対か判定しＳ６７９、その場合は左こんろか判定しＳ６８０、左こんろの場合は左こんろの消火指示を行いＳ６８１、故障表示判定手段７４に左こんろ熱電対不良指示を行うＳ６８２。
【０１４９】
一方左こんろでない場合Ｓ６８０、その場合は右こんろか判定しＳ６８３、右こんろの場合は右こんろの消火指示を行いＳ６８４、故障表示判定手段７４に右こんろ熱電対不良指示を行うＳ６８５。
【０１５０】
一方右こんろでない場合Ｓ６８３、その場合はグリルとしＳ６８６、グリルの消火指示を行いＳ６８７、故障表示判定手段７４にグリル熱電対不良指示を行うＳ６８８。
【０１５１】
一方熱電対でない場合Ｓ６７９、温度センサーか判定しＳ６８９、その場合は左こんろとしＳ６９０、左こんろの消火指示を行いＳ６９１、故障表示判定手段７４に左こんろ温度センサー不良指示を行うＳ６９２。
【０１５２】
一方温度センサーでない場合Ｓ６８９、モーターエラーか判定しＳ６９３、その場合は左こんろか判定しＳ６９４、全こんろの消火指示を行いＳ６９５、故障表示判定手段７４に左こんろモーターエラー不良指示を行うＳ６９６。
【０１５３】
一方左こんろでない場合Ｓ６９４、その場合は右こんろか判定しＳ６９７、全こんろの消火指示を行いＳ６９５、故障表示判定手段７４に右こんろモーターエラー不良指示を行うＳ６９８。
【０１５４】
一方右こんろでない場合Ｓ６９７、その場合はグリルとしＳ６９９、全こんろの消火指示を行いＳ６９５、故障表示にグリル不良指示を行うＳ７００。
【０１５５】
モーターエラーでない場合Ｓ６９３電磁弁回路エラーとしてＳ７０１、全こんろ消火指示をしＳ７０２、故障表示判定手段７４に電磁弁回路エラー不良指示を行うＳ７０３、その後故障表示判定手段７４へいくＳ７０４。
【０１５６】
図２７は故障表示判定手段７４の概略フローを示したものである。故障個所が左こんろか判定しＳ７０４、その場合は左こんろの弱火力位置を点滅させＳ７０６、左こんろの故障表示をし、左こんろでない場合Ｓ７０４、右こんろか判定しＳ７０７、右こんろの場合は右こんろの弱火力位置を点滅させＳ７０６、右こんろの故障表示をし、右こんろでない場合Ｓ７０７、グリルか判定しＳ７０９、グリルの場合はグリルの弱火力位置を点滅させＳ７１０、グリルの故障表示をし、グリルでない場合は、全口消火としＳ７１１、全ての弱火力位置を点滅させＳ７１２、器具が使用できない状態であることを知らせる。
【０１５７】
その後、器具が燃焼状態でないか判定しＳ７１３、使用こんろが無い状態で故障部位は点火キーか判定しＳ７１４、その場合は火力ランプの故障表示１をバイナリー表示指示するＳ７１５（左右こんろの弱以外の火力ランプを総個数として、合計８個のランプ表示と成し、故障表示が可能）。
【０１５８】
故障部位が点火キーでない場合Ｓ７１４、故障部位が火力キーか判定しＳ７１６、その場合は火力ランプの故障表示２をバイナリー表示指示するＳ７１７。
【０１５９】
故障部位が火力キーでない場合Ｓ７１６、故障部位が熱電対か判定しＳ７１８、その場合は火力ランプの故障表示３をバイナリー表示指示するＳ７１９。
【０１６０】
故障部位が熱電対でない場合Ｓ７１８、故障部位が温度センサーか判定しＳ７２０、その場合は火力ランプの故障表示４をバイナリー表示指示するＳ７２１。
【０１６１】
故障部位が温度センサーでない場合Ｓ７２０、故障部位がモーターか判定しＳ７２２、その場合は火力ランプの故障表示５をバイナリー表示指示するＳ７２３。
【０１６２】
故障部位がモーターでない場合Ｓ７２２、故障部位が電磁弁か判定しＳ７２４、その場合は火力ランプの故障表示６をバイナリー表示指示するＳ７２５。
【０１６３】
上記の表示後タイマーをＯＮさせＳ７２６、２分経過したか判定しＳ７２７、その場合は表示を消灯させる。
【０１６４】
上記したことは、故障部位を火力ランプで故障個所を弱火力位置で表示し、故障内容を弱以外の火力ランプを使用して、知らしめるもので、故障時の原因を知らしめ、サービスの向上を目指すもので、特に７セグメント数値表示のない場合の方法として有効である。
【０１６５】
尚、２分経過後消灯させているのは電池の消耗を極力抑えるためで、家庭用電源を使用している場合はそのまま表示させても良い。また、火力表示をバイナリー表示としたが、８個の表示が可能で今回の故障表示の故障部位は６個であり、個々のランプに故障部位を割り付けることは、本願発明の主旨とするところである。（バイナリー表示を明記したが個々のランプに故障部位を当てはめるのは省略したものである。但し、マイコンポートの関係からバイナリー表示は、同時に点灯させるランプ数が多くなるが個々の割り当て表示の場合、１個の点灯で故障部位が判明できるため省電力化には効果があり、一方バイナリー表示では故障部位が多くなると数多く表示可能なところが優位である双方の特徴がある）。
【０１６６】
図２８、２９は駆動制御部５８内にあるチャイルドロックディレイ手段を示したものである。チャイルドロックディレイ手段は、子供が不用意に操作し燃焼させるということを防ぎ、また、掃除などの時に不用意に点火キーを押し、燃焼させるということを防ぐ効果を有したものである。
【０１６７】
しかし、燃焼中にチャイルドロックを操作した場合、通常では電源を切ることとなり、その場合ガスの制御部は開いた状態で、元電磁弁が遮断することにより、燃焼停止することになる。この状態は正常の停止状態ではない。正常の停止状態とするには、チャイルドロックをＯＮした場合燃焼バーナを全て強制的に停止させ、流量制御部が停止状態であることを確認してチャイルドロックさせるチャイルドロックディレイ手段が必要である。
【０１６８】
図２８はチャイルドロックをＯＮさせると使用中のこんろを全て消火させる方法のもので、この概略フローを以下に示す。
【０１６９】
チャイルドロックがＯＮであるか判断しＳ７２９、ＯＮでない場合はそのまま待機し、ＯＮになった場合使用中のこんろがあるか判断しＳ７２９−１、ある場合は左こんろか判断しＳ７３０、左こんろの場合は左こんろの燃焼停止を指示しＳ７３１、全てのコックが閉止位置にあるか判断しＳ７３６、チャイルドロック状態とするＳ７３７。左こんろでない場合、右こんろか判断しＳ７３２、右こんろの場合は右こんろの燃焼停止を指示しＳ７３３、全てのコックが閉止位置にあるか判断しＳ７３６、チャイルドロック状態とするＳ７３７。右こんろでない場合はグリルの場合でありＳ７３４、グリルの燃焼停止を指示しＳ７３５、全てのコックが閉止位置にあるか判断しＳ７３６、チャイルドロック状態とするＳ７３７。
【０１７０】
図２９はチャイルドロックをＯＮさせると使用中のこんろを全て消火してチャイルドロックさせる方法のもので、この概略フローを以下に示す。
【０１７１】
チャイルドロックがＯＮであるか判断しＳ７３８、ＯＮでない場合はそのまま待機し、ＯＮになった場合使用中のこんろがあるか判断しＳ７３９、ある場合はそのまま待機し、使用者が使い終わり、使用中のこんろがなくなった場合チャイルドロックを行うＳ７４０。
【０１７２】
図２８と、図２９の方法の差は、使用中のこんろがあった場合、図２８は強制的に消火させるのに対し、図２９は使用中のこんろがなくなるのを待つ点であり、チャイルドロックスイッチの位置によっては、使用中に誤って触る可能性の高い場合は図２９方式が有効で、使用中に誤って触らない位置の場合は図２８の方が良いとも考えられる。
【０１７３】
以上本発明の実施例について説明してきたが、本発明はこの実施例の形態に限られるものではなく、本発明の目的を達成するものであればどのようなものであってもよいものである。
【０１７４】
【発明の効果】
以上の説明の通り本発明によれば次のような効果が得られる。
【０１７５】
すなわち請求項１記載のガス調理器は、バーナと、このバーナへのガスの流量を制御するガス供給停止機能付の流量制御部と、前記流量制御部を駆動して該流量制御部によるガスの供給・停止をする駆動部と、前記駆動部を駆動制御する駆動制御部と、前記駆動制御部に操作指示し、前記バーナの点火をする操作部と、操作により前記操作部の指示を無効とし燃焼中のバーナを停止させるチャイルドロックスイッチと、前記チャイルドロックスイッチが操作された時に燃焼中の前記バーナがある場合、前記バーナの流量制御部が遮断されたことを確認してチャイルドロックさせるチャイルドロックディレー手段とを備え、前記チャイルドロックスイッチは操作されると燃焼中のバーナを停止させ、該バーナの流量制御部の遮断が前記チャイルドロックディレー手段により確認された後にチャイルドロック状態とする構成としてあり、燃焼中にチャイルドロックスイッチが操作されると流量制御部を閉止位置にしてガスを確実に遮断した後チャイルドロック状態とするため安全性が向上するとともに使い勝手も向上する。
【０１７６】
また請求項２のガス調理器は、複数のバーナと、この各バーナへのガスの流量を制御するガス供給停止機能付の流量制御部と、前記流量制御部を駆動して該流量制御部によるガスの供給・停止をする駆動部と、前記駆動部を駆動制御する駆動制御部と、前記駆動制御部に操作指示し、前記バーナの点火をする操作部と、操作により前記操作部の指示を無効とするチャイルドロックスイッチと、前記チャイルドロックスイッチが操作された時に使用中の前記バーナがある場合、該バーナの使用がなくなるのを待ち、使用中のバーナがなくなり流量制御部が遮断されたことを確認してチャイルドロックさせるチャイルドロックディレー手段とを備え、前記チャイルドロックスイッチは操作されると、使用中のバーナがある場合には使用中のバーナがなくなるのを待ち、使用中のバーナがなくなり該バーナの流量制御部の遮断が前記チャイルドロックディレー手段により確認された後にチャイルドロック状態とする構成としてあり、使用中に誤ってチャイルドロックスイッチを操作しても急に消化することがなく使い勝手が向上する。
【図面の簡単な説明】
【図１】  （ａ）は本発明の一実施例に於けるガス流量制御装置を用いたガス調理器の外観を示す斜視図
（ｂ）は同操作部の昭面図
【図２】  同ガス流量制御装置の全体構成図
【図３】  （ａ）は同ガス制御ブロックの平面図
（ｂ）は同側断面図
【図４】  （ａ）は同エンコーダーの平面図
（ｂ）は同正面図
（ｃ）は同側面図
【図５】  （ａ）〜（ｆ）は同エンコーダーのパターンと火力の相関図
【図６】  同制御部のブロック図
【図７】  同点火消火動作の概略フローチャート
【図８】  同キー入力判定手段の概略フローチャート
【図９】  同キー入力判定手段の概略フローチャート
【図１０】  同左こんろ用各種調理モードキー入力判定手段の概略フローチャート
【図１１】  同デモモードキー入力判定手段の概略フローチャート
【図１２】  同総合作動判定手段の概略フローチャート
【図１３】  同こんろ駆動判定手段の概略フローチャート
【図１４】  同火力変更判定手段の概略フローチャート
【図１５】  同火力変更判定手段の概略フローチャート
【図１６】  同モーター誤作動処理手段の概略フローチャート
【図１７】  （ａ）（ｂ）（ｃ）は同自動判別調理モードの概略フローチャート
【図１８】  同自動判別調理モードの概略フローチャート
【図１９】  同自動判別調理モードの概略フローチャート
【図２０】  同検査モード判定手段のブロック図
【図２１】  （ａ）（ｂ）は同検査モード判定手段の概略フローチャート
【図２２】  同完成品検査モードの概略フローチャート
【図２３】  同部品検査モードの概略フローチャート
【図２４】  （ａ）（ｂ）は同故障判定手段のブロック図
【図２５】  （ａ）（ｂ）は同故障判定手段の概略フローチャート
【図２６】  同故障判定手段の概略フローチャート
【図２７】  同故障表示判定手段の概略フローチャート
【図２８】  同チャイルドロックモードの概略フローチャート
【図２９】  同チャイルドロックモードの概略フローチャート
【符号の説明】
１  左こんろ
２  鍋底温度センサー
３  右こんろ
４  グリル
５  操作部
６  左こんろ用点火／消火キー
７  右こんろ用点火／消火キー
８  グリル用点火／消火キー
９  左こんろ用火力調節キー
１０  左こんろ用火力調節キー
１１  右こんろ用火力調節キー
１２  右こんろ用火力調節キー
１３  グリル用火力調節キー
１４  グリル用火力調節キー
１５  左こんろ用火力発光表示体
１６  右こんろ用火力発光表示体
１７  グリル用火力発光表示体
１９  チャイルドロックスイッチ
２０  電池収納部
２１  熱電対
２２  点火プラグ
２３  左こんろバーナ
２４  制御回路
２５  ガス制御ブロック
２６  ホースエンド
２７  元電磁弁
２７−１  リード線
２８  ガバナ
２９  左こんろガス制御部
３０  右こんろガス制御部
３１  グリルガス制御部
３２  ノズル
３３  流量制御部
３３−１  コックボデー
３３−２  流量制御板
３３−３  スライド閉子
３３−４  ガス出口
３３−５  バネ
３３−６  駆動連結軸
３３−７  Ｏリング
３４  ステッピングモーター（駆動部）
３４−１  駆動連結部
３４−２  ピン
３４−３  リード線
３５  エンコーダー
３５−１  基板
３５−２  外郭体
３５−３  摺動体
３５−４  リード線
３５−５  集電子
３６  右こんろバーナ
３７  グリルバーナ
３８  点火プラグ
３９  調理モード設定キー
４０  調理モード設定キー
４１  調理モード設定キー
４２  調理モード表示ランプ
４３  調理モード表示ランプ
４４  調理モード表示ランプ
４９  ネジ部
５０  雌ネジ
５１  電池
５２  定電圧制御手段
５３  左こんろ用モーターＩＣ
５４  右こんろ用モーターＩＣ
５５  グリル用モーターＩＣ
５６  電磁弁出力
５７  電圧検出手段
５８  駆動制御部
５９  左こんろ駆動判定部
６０  右こんろ駆動判定部
６１  グリル駆動判定部
６２  検査モード入出力端子
６３  換気連動端子
６４  総合作動手段
６５  操作と表示ブロック
６６  操作と表示ブロックの左コンロ部
６７  操作と表示ブロックの右コンロ部
６８  操作と表示ブロックのグリル部
６９  左こんろ入力キー＆表示
７０  右こんろ入力キー＆表示
７１  グリル入力キー＆表示
７２  キー入力判定手段
７３  表示出力段
７４  故障表示判定手段
７５  省電力化判定手段
７６  モーター速度制御手段
７７  検査モード判定手段
７８  デモモード判定手段
７９  故障判定手段
８０  換気連動判定手段
８１  電圧判定手段
８２  温度判定部
８３  調理モード判定部
８４  焦げ付き防止判定部
８５  過熱防止判定部
８６  温度調節判定部
８７  湯沸かし判定部
８８  点火器出力
８９  モーターエラーＳＵＢ
【図１】
0004089061.tif 000002
【図２】
0004089061.tif 000003
【図３】
0004089061.tif 000004
【図４】
0004089061.tif 000005
【図５】
0004089061.tif 000006
【図６】
0004089061.tif 000007
【図７】
0004089061.tif 000008
【図８】
0004089061.tif 000009
【図９】
0004089061.tif 000010
【図１０】
0004089061.tif 000011
【図１１】
0004089061.tif 000012
【図１２】
0004089061.tif 000013
【図１３】
0004089061.tif 000014
【図１４】
0004089061.tif 000015
【図１５】
0004089061.tif 000016
【図１６】
0004089061.tif 000017
【図１７】
0004089061.tif 000018
【図１８】
0004089061.tif 000019
【図１９】
0004089061.tif 000020
【図２０】
0004089061.tif 000021
【図２１】
0004089061.tif 000022
【図２２】
0004089061.tif 000023
【図２３】
0004089061.tif 000024
【図２４】
0004089061.tif 000025
【図２５】
0004089061.tif 000026
【図２６】
0004089061.tif 000027
【図２７】
0004089061.tif 000028
【図２８】
0004089061.tif 000029
【図２９】
0004089061.tif 000030